(57)【要約】【課題】より正確なトルク値でモータの過負荷を制御可能とする過負荷保護装置を提供する。【解決手段】過負荷保護装置は、モータに流れる電流を経時的に計測し、電流計測値を取得する電流計測手段と、モータの電圧を経時的に計測し、電圧計測値を取得する電圧計測手段と、電源からモータへの電力の供給を遮断又は低減する電源遮断手段と、事前に収集された、モータの電流値、電圧値及びトルク値のデータ群からなるモータ特性のルックアップテーブルを記憶する記憶部と、電流計測手段、電圧計測手段及び電源遮断手段の動作を制御する制御部と、を備える。制御部は、記憶部からルックアップテーブルを参照し、電流計測値及び電圧計測値の経時データに基づいてモータのトルク変換値を経時的に出力する。制御部は、トルク変換値が、予め設定された所定の遮断閾値を超過したこと、又は、所定の遮断閾値に到達したことを検知したときに、電源遮断手段で電源を遮断又は低減する。【選択図】図８
2020171070.tif 000002
【特許請求の範囲】
【請求項１】
被駆動装置を駆動するモータに電気的に接続され、前記モータの過負荷を検知したときに前記モータを保護するように動作する過負荷保護装置であって、
前記モータに流れる電流を経時的に計測し、電流計測値を取得する電流計測手段と、
前記モータの電圧を経時的に計測し、電圧計測値を取得する電圧計測手段と、
電源から前記モータへの電力の供給を遮断又は低減する電源遮断手段と、
事前に収集された、前記モータの電流値、電圧値及びトルク値のデータ群からなるモータ特性のルックアップテーブルを記憶する記憶部と、
前記電流計測手段、前記電圧計測手段及び前記電源遮断手段の動作を制御する制御部と、を備え、
前記制御部は、前記記憶部から前記ルックアップテーブルを参照し、前記電流計測値及び前記電圧計測値の経時データに基づいて前記モータのトルク変換値を経時的に出力し、
前記制御部は、前記トルク変換値が、予め設定された所定の遮断閾値を超過したこと、又は、前記所定の遮断閾値に到達したことを検知したときに、前記電源遮断手段で前記電源を遮断又は低減することを特徴とする過負荷保護装置。
【請求項２】
前記ルックアップテーブルの電流値及びトルク値は、一定電圧で複数回測定された電流値及びトルク値の測定プロットの近似曲線から得られ、前記ルックアップテーブルは、複数の電圧値ごとに前記近似曲線をそれぞれ有することを特徴とする請求項１に記載の過負荷保護装置。
【請求項３】
第１の一定電圧値で測定された電流値及びトルク値の第１近似曲線、及び、第２の一定電圧値で測定された電流値及びトルク値の第２近似曲線に基づいて、前記第１の一定電圧値と前記第２の一定電圧値との間の電圧計測値におけるトルク変換値が補完されることを特徴とする請求項２に記載の過負荷保護装置。
【請求項４】
データを送受信するための通信手段をさらに備え、前記記憶部は、前記通信手段を介して通信可能な外部サーバーに設けられていることを特徴とする請求項１から３のいずれか一項に記載の過負荷保護装置。
【請求項５】
モータ、前記モータの出力軸に連結され、被駆動装置に動力を出力する減速機、及び、請求項１から４のいずれか一項に記載の過負荷保護装置を備えることを特徴とするギヤードモータ。
【請求項６】
モータのトルク換算値を出力する方法であって、
前記モータの電流値、電圧値及びトルク値のデータ群を収集し、モータ特性のルックアップテーブルを生成する工程と、
電流計測手段で前記モータに流れる電流を経時的に計測し、電流計測値を取得する工程と、
電圧計測手段で前記モータの電圧を経時的に計測し、電圧計測値を取得する工程と、
前記ルックアップテーブルを参照し、前記電流計測値及び前記電圧計測値の経時データに基づいて前記モータのトルク変換値を経時的に出力する工程と、を含むことを特徴とする方法。
【発明の詳細な説明】
【技術分野】
【０００１】
本発明は、被駆動装置を駆動するギヤードモータの負荷状態を監視し、過大な負荷を検出したときにギヤードモータへの電力の供給を遮断又は制限することにより、被駆動装置及び／又はギヤードモータの損傷を防止する過負荷保護装置、及び、該過負荷保護装置を備えたギヤードモータに関する。さらに、本発明は、モータの電流計測値及び電圧計測値からモータの出力軸におけるトルク換算値を出力する方法に関する。
【背景技術】
【０００２】
従来、コンベヤ装置等の被駆動装置をギヤードモータで駆動する際、異物の噛み込み等によって負荷が急激に上昇し、この過負荷状態でギヤードモータの駆動が続いた場合、ギヤードモータ及び被駆動装置の一方又は両方が物理的に損傷することがあった。これに対し、ギヤードモータの過負荷を検出し、ギヤードモータへの電力の供給を遮断又は制限することにより、ギヤードモータ及び被駆動装置の損傷を防止する過負荷保護装置が開発されている。
【０００３】
例えば、特許文献１は、ギヤードモータによる産業機械が破壊を防止する過負荷保護装置を備えるギヤードモータを開示する。以下、当該段落において、（）内に特許文献１の符号を示す。過負遮断装置（４）は、モータ（２）の定格電流値未満の所定の電流値を電流の指定値（６）に選定し、且つ、電流の指定値（６）を超える過負荷電流値（５）で電流が流れる所定の時間を過負荷電流時間の指定値（７）に選定する指定値設定手段（１４）と、指定値設定手段（１４）に選定された電流の指定値（６）を超過した過負荷電流値（５）と過負荷電流時間を検知する過電流検知手段（１５）と、過負荷電流時間が過負荷電流時間の指定値を超えたことが過電流検知手段（１５）によって検知された場合、モータ（２）に供給する電源を遮断する電源遮断手段（１９）と、を備える。
【先行技術文献】
【特許文献】
【０００４】
【特許文献１】特許第６２１６１１０号公報
【発明の概要】
【発明が解決しようとする課題】
【０００５】
特許文献１のような従来の過負荷保護装置は、モータを流れる電流の値の上昇を読み取って、計測した電流値が電流の指定値を超えると、過負荷を検出してモータを電源から遮断する。しかしながら、電流及び電圧の測定値は、実際のモータのトルク値を正確に反映するものではないことから、モータを所望のトルク値で確実に停止させることができなかった。例えば、電流の指定値のトルク値が想定したトルク値よりも大きいと、所望のトルク値を超えてもモータが動作して被駆動装置やギヤードモータを損傷する虞があった。これに対して、トルク値のずれを見越してマージンを設けて電流の指定値を下げると、モータの停止が頻発するという不具合が生じることが考えられる。すなわち、従来の過負荷保護装置では、モータの過負荷を正確なトルク値で制御することができないことが課題であった。
【０００６】
本発明は、上記課題を解決するためになされたものであり、その目的は、より正確なトルク値でモータの過負荷を制御可能とする過負荷保護装置及びギヤードモータを提供することにある。
【課題を解決するための手段】
【０００７】
本発明の一形態に記載の過負荷保護装置は、被駆動装置を駆動するモータに電気的に接続され、前記モータの過負荷を検知したときに前記モータを保護するように動作する過負荷保護装置であって、
前記モータに流れる電流を経時的に計測し、電流計測値を取得する電流計測手段と、
前記モータの電圧を経時的に計測し、電圧計測値を取得する電圧計測手段と、
電源から前記モータへの電力の供給を遮断又は低減する電源遮断手段と、
事前に収集された、前記モータの電流値、電圧値及びトルク値のデータ群からなるモータ特性のルックアップテーブルを記憶する記憶部と、
前記電流計測手段、前記電圧計測手段及び前記電源遮断手段の動作を制御する制御部と、を備え、
前記制御部は、前記記憶部から前記ルックアップテーブルを参照し、前記電流計測値及び前記電圧計測値の経時データに基づいて前記モータのトルク変換値を経時的に出力し、
前記制御部は、前記トルク変換値が、予め設定された所定の遮断閾値を超過したこと、又は、前記所定の遮断閾値に到達したことを検知したときに、前記電源遮断手段で前記電源を遮断又は低減することを特徴とする。
【０００８】
本発明の過負荷保護装置は、モータの電流−電圧−トルク特性を示すルックアップテーブルを参照して、経時的に取得された電流計測値及び電圧計測値からトルク変換値を経時的に取得し、トルク変換値の経時データを利用して過負荷を防止することを特徴とする。このトルク変換値は、モータの特性に応じたトルク曲線を用いたものであることから、従来の電流値による監視と比べて、モータの実際のトルク変動をより正確に反映するものである。したがって、本発明の過負荷保護装置は、より正確なトルク値でモータの過負荷を制御可能とする。
【０００９】
本発明のさらなる形態の過負荷保護装置は、前記ルックアップテーブルの電流値及びトルク値は、一定電圧で複数回測定された電流値及びトルク値の測定プロットの近似曲線から得られ、前記ルックアップテーブルは、複数の電圧値ごとに前記近似曲線をそれぞれ有することを特徴とする。すなわち、測定プロット間のデータを近似曲線で補完することによって、電流値の細かな変動に対応した、より高精度のトルク換算値を出力することができる。
【００１０】
本発明のさらなる形態の過負荷保護装置は、第１の一定電圧値で測定された電流値及びトルク値の第１近似曲線、及び、第２の一定電圧値で測定された電流値及びトルク値の第２近似曲線に基づいて、前記第１の一定電圧値と前記第２の一定電圧値との間の電圧計測値におけるトルク変換値が補完されることを特徴とする。すなわち、実際の測定プロットが得られていない電圧計測値においても、トルク値の推定値でルックアップテーブルのデータ間が補完されることにより、ルックアップテーブルを参照してトルク換算値を出力することが可能である。
【００１１】
本発明のさらなる形態の過負荷保護装置は、データを送受信するための通信手段をさらに備え、前記記憶部は、前記通信手段を介して通信可能な外部サーバーに設けられていることを特徴とする。すなわち、記憶部を外部サーバーに設けることにより、ハードウェア的な制限なしに大量のデータを取り扱うことが可能であり、尚且つ、データの追加、削除、更新等の作業も容易となる。
【００１２】
本発明の一実施形態のギヤードモータは、モータ、前記モータの出力軸に連結され、被駆動装置に動力を出力する減速機、及び、過負荷保護装置を備えることを特徴とする。すなわち、本発明のギヤードモータは、上記過負荷保護装置の効果をギヤードモータとして発揮することが可能である。
【００１３】
本発明の一実施形態の方法は、モータのトルク換算値を出力する方法であって、
前記モータの電流値、電圧値及びトルク値のデータ群を収集し、モータ特性のルックアップテーブルを生成する工程と、
電流計測手段で前記モータに流れる電流を経時的に計測し、電流計測値を取得する工程と、
電圧計測手段で前記モータの電圧を経時的に計測し、電圧計測値を取得する工程と、
前記ルックアップテーブルを参照し、前記電流計測値及び前記電圧計測値の経時データに基づいて前記モータのトルク変換値を経時的に出力する工程と、を含むことを特徴とする。
【００１４】
本発明のモータのトルク換算値を出力する方法は、モータの電流−電圧−トルク特性を示すルックアップテーブルを生成し、当該ルックアップテーブルを参照して、経時的に取得された電流計測値及び電圧計測値からトルク変換値を経時的に取得し、トルク変換値の経時データを出力することを特徴とする。このトルク変換値は、モータの特性に応じたトルク曲線を用いたものであることから、従来の電流値による監視と比べて、モータの実際のトルク変動をより正確に反映するものである。したがって、本発明の方法は、実際のトルク値を測定することなく、より正確なトルク換算値を出力し、モータの正確な制御を可能とする。
【発明の効果】
【００１５】
本発明の一形態の過負荷保護装置は、より正確なトルク値でモータの過負荷を制御可能とする。
【図面の簡単な説明】
【００１６】
【図１】本発明の一実施形態のギヤードモータの概略側面図。
【図２】図１のギヤードモータの端子箱の内部を示す概略図。
【図３】本発明の一実施形態の過負荷保護装置のブロック図。
【図４】本発明の一実施形態の過負荷保護装置のモータ特性のルックアップテーブルを示すグラフ。
【図５】本発明の一実施形態の過負荷保護装置において、モータの各定電圧ごとの電流値及びトルク値の測定プロットを示すグラフ。
【図６】本発明の一実施形態の過負荷保護装置において、定電圧１８０Ｖのときの電流値及びトルクの近似曲線を例示的に示すグラフ。
【図７】本発明の一実施形態の過負荷保護装置において、定電圧２００Ｖのときの電流値及びトルクの近似曲線を例示的に示すグラフ。
【図８】本発明の一実施形態の過負荷保護装置において、モータの電流計測値、電圧計測値及びトルク変換値の時間変化を示すグラフ。
【発明を実施するための形態】
【００１７】
以下、本発明の一実施形態について図面を参照しつつ説明する。なお、以下の説明において参照する各図の形状は、好適な形状を説明する上での概念図又は概略図であり、寸法比率等は実際の寸法比率とは必ずしも一致しない。つまり、本発明は、図面における寸法比率に限定されるものではない。
【００１８】
図１は、本発明の一実施形態のギヤードモータを例示的に示す概略図である。本実施形態のギヤードモータ１０は、モータ１１、減速機１２及び端子箱１３を備える。モータ１１の出力軸が減速機１２に接続されることにより、減速機１２の出力軸で低回転数且つ高トルクの出力を得て、被駆動装置を駆動することができる。被駆動装置は、例えば、チップコンベヤ装置（図示せず）であり、ギヤードモータの出力軸がチップコンベヤ装置のスプロケットに接続される。
【００１９】
また、図２に示すように、端子箱１３は、３相電源１４に接続される電源端子（Ｕ，Ｖ，Ｗ）１３ａと、モータ１１に電気的に接続されたモータ端子１３ｂと、外部機器に接続するための外部端子１３ｃとを備える。電源端子１３ａは基板を介してモータ端子１３ｂに電気的に接続されている。この端子箱１３は、制御部（ＭＣＵ）、電流計測回路、電圧計測回路、通信回路、リレー回路が組み込まれた基板を備え、当該基板により過負荷保護装置（又は過負荷保護システム）１００を構成する。
【００２０】
図３は、本実施形態の過負荷保護装置１００のブロック図である。過負荷保護装置１００は、モータ１１の動作を監視し、且つ、制御するための制御部（ＭＣＵ）１０１を備える。制御部１０１には、３相電源１４から電源端子１３ａを介して電力が供給される。モータ１１のＵ，Ｖ，Ｗ相に３相電源１４が接続され、モータ１１に３相電源１４から駆動電力が供給される。
【００２１】
過負荷保護装置１００には、モータ１１に流れる電流を経時的に計測し、電流計測値を取得する電流計測回路（電流計測手段）１０２と、モータ１１の電圧を経時的に計測し、電圧計測値を取得する電圧計測回路（電圧計測手段）１０３とが設けられている。電流計測回路１０２及び電圧計測回路１０３は、制御部１０１に接続され、モータ１１の電流計測値及び電圧計測値を制御部１０１に経時的に制御部１０１に出力するように構成されている。ここでは、電流計測値をモータ１１の入力電流の値とし、且つ、電圧計測値をモータ１１への印加電圧の値とした。なお、本発明の電流計測手段及び電圧回路手段はオシロスコープなどの外部機器であってもよい。
【００２２】
過負荷保護装置１００には、電源遮断手段としてのリレー１０４が設けられている。リレー１０４は、制御部１０１及び３相電源１４に直接的又は間接的に接続されている。リレー１０４は、制御部１０１からの指示を受け取って３相電源１４を制御し、３相電源１４からモータ１１への電力の供給を遮断又は低減するように構成されている。本実施形態の過負荷保護装置１００では、制御部１０１は、トルク変換値を経時的に監視し、トルク変換値が所定の遮断閾値を超過又は遮断閾値に到達した時点でリレー１０４を制御して電源を遮断又は低減する。あるいは、制御部１０１は、遮断閾値を下回ることなく所定の設定時間が経過した後に電源を遮断又は低減するように設定されてもよい。
【００２３】
また、過負荷保護装置１００は、ユーザーが設定を入力するための設定入力部１０５を備える。設定には、モータ機種、モータの回転方向、遮断閾値、監視時間などが含まれる。さらに、過負荷保護装置１００は、外部との通信手段として通信回路１０６を含んでいる。通信回路１０６は、制御部１０１と外部サーバー１０７とを接続し、相互間でデータの送受信を可能とする。本実施形態では、外部サーバー１０７には、過負荷保護装置１００の記憶部として設定されている。本実施形態の過負荷保護装置１００は、外部サーバー１０７に記憶部を設けたことにより、モータ特性のルックアップテーブルに関する多くのデータを保有可能であり、尚且つ、データの更新修正が容易となる。また、外部サーバー１０７は、ギヤードモータ１０駆動の際、制御部１０１によって通信回路１０６を介して出力された各種データのログを記憶してもよい。ただし、本発明は上記形態に限定されず、記憶部は端子箱１３内部の基板にメモリやハードディスク等の記録媒体として組み込まれてもよい。
【００２４】
また、通信回路１０６は、任意に制御部１０１とユーザー端末１０８とを接続してもよい。ユーザー端末１０８は、制御盤、スマートホン、パーソナルコンピュータなど、ユーザーが操作可能な端末である。このユーザー端末１０８を用いることで、ギヤードモータ１０の動作（例えば、電流計測値、電圧計測値、トルク変換値）をモニタに表示させて監視したり、制御部１０１に装置設定を遠隔入力したりすることができる。
【００２５】
通信回路１０６と上記外部機器との接続は、有線及び無線のいずれであってもよい。無線接続手段として、例えば、ＷｉＦｉ（登録商標）、Ｂｌｕｅｔｏｏｔｈ（登録商標）などが挙げられる。
【００２６】
過負荷保護装置１００の記憶部は、事前に収集された、モータ１１の電流値、電圧値及びトルク値のデータ群からなるモータ特性のルックアップテーブルを記憶するように構成されている。ルックアップテーブルは、電流値、電圧値及びトルク値からなる数値の配列である。本実施形態の過負荷保護装置１００では、制御部１０１は、記憶部にアクセスしてモータの電流値、電圧値及びトルク値のデータ群からなるルックアップテーブルを参照し、電流計測回路１０２及び電圧計測回路１０３によって経時的に計測された電流計測値及び電圧計測値をルックアップテーブルの電流値及び電圧値に当て嵌めて、ルックアップテーブルのトルク値をトルク変換値として出力する。トルク変換値の出力は、電流及び電圧の計測とともに経時的に実行される。換言すると、制御部１０１が電圧計測値及び電流計測値を連続的にルックアップテーブルに入力し、ルックアップテーブルからトルク変換値を連続的に出力する。
【００２７】
図４は、本発明で用いられるルックアップテーブルの一例をグラフ化したものである。このようなルックアップテーブルは、少なくとも、モータ機種、回転方向、電源周波数などの条件に応じて準備される。これら条件毎に、モータ特性が異なるからである。ユーザーが上記条件を設定入力部１０５を介して入力し、ルックアップテーブルを条件に応じて切り替えることが好ましい。なお、図４のルックアップテーブルは、右回転、電源周波数６０Ｈｚの条件によるモータ固有のトルク特性を示すものである。各種条件に合った複数のルックアップテーブルが作成されることが好ましい。
【００２８】
図４の各モータ特性（電流・トルク）曲線は、各一定電圧（１８０Ｖ、１９０Ｖ、２００Ｖ、２１０Ｖ、２２０Ｖ、２３０Ｖ、２４０Ｖ）における電流値及びトルク値のデータ群（配列）の集合体である。本実施形態では、各モータ特性曲線は、当該モータ１１について事前に収集された電流・電圧プロットの近似曲線であり、後述するように所定の多項式曲線（本実施形態では５次多項式）で表されている。電流計測値及び電圧計測値に基づいて当該ルックアップテーブルからトルク換算値が導き出される。より具体的には、モータ１１の電圧計測値からモータ特性曲線が選択され、選択されたモータ特性曲線の電流計測値からトルク変換値が読み取られる。トルク変換値は、選択されたモータ特性曲線を近似的に示す多項式に電流計測値を入力して演算することによって得られる。例えば、モータ１１の電圧計測値が２００Ｖであり、電流計測値が０．５Ａである場合、２００Ｖのモータ特性曲線が選択され、当該モータ特性曲線からトルク換算値が１４２Ｎ・ｍとして出力される。このトルク換算値は、モータ固有の電流−電圧−トルク特性に従った値であり、実際のモータ１１の出力軸でのトルク値をほぼ忠実に再現する。
【００２９】
本実施形態では、電圧計測値が、事前に収集されたモータ特性曲線のいずれの電圧にも該当せず、モータ特性曲線の一定電圧値からずれている場合であっても、電圧計測値を挟み込む２つのモータ特性曲線によってルックアップテーブルのトルク換算値が補完され得る。すなわち、電圧計測値Ｖｍよりも低く、且つ、電圧計測値Ｖｍに最も近い第１の一定電圧値Ｖ１で測定された第１近似曲線、及び、電圧計測値Ｖｍよりも高く、且つ、電圧計測値Ｖｍに最も近い第２の一定電圧値Ｖ２で測定された第２近似曲線に基づいて、第１の一定電圧値Ｖ１と第２の一定電圧値Ｖ２との間の電圧計測値Ｖｍにおけるトルク変換値が補完される。本実施形態では、第１及び第２の一定電圧値Ｖ１，Ｖ２の近似曲線の多項式に電流計測値を入力してトルク変換値Ｔ１，Ｔ２を算出し、以下の式を用いて、トルク変換値Ｔを算出する。
Ｔ＝Ｔ１＋（Ｔ２−Ｔ１）×（Ｖｍ−Ｖ１）／（Ｖ２−Ｖ１）
【００３０】
すなわち、モータ１１のトルク換算値を出力する方法は、モータ１１の電流値、電圧値及びトルク値のデータ群を事前に収集し、モータ特性のルックアップテーブルを生成する工程と、電流計測回路１０２でモータ１１に流れる電流を経時的に計測し、電流計測値を取得する工程と、電圧計測回路１０３でモータ１１の電圧を経時的に計測し、電圧計測値を取得する工程と、ルックアップテーブルを参照し、電流計測値及び電圧計測値の経時データに基づいてモータ１１のトルク変換値を経時的に出力する工程と、を含む。モータ特性のルックアップテーブルを生成する作業やルックアップテーブルを更新又は拡張する作業は、主として製造元やユーザーによって実施される。また、当該方法のルックアップテーブルを生成する工程は、ルックアップテーブルの電流値及びトルク値の複数のプロットをモータ特性曲線として表すように、一定電圧で複数回測定された電流値及びトルク値の測定プロットの近似曲線を作成する工程を含む。そして、ルックアップテーブルは、複数の電圧値ごとに近似曲線をそれぞれ有する。さらに、当該方法は、制御部１０１により、第１の一定電圧値Ｖ１で測定された電流値Ｉ１及びトルク値Ｔ１の第１近似曲線、及び、第２の一定電圧値Ｖ２で測定された電流値Ｉ２及びトルク値Ｔ２の第２近似曲線に基づいて、第１の一定電圧値Ｖ１と第２の一定電圧値Ｖ２との間の電圧計測値Ｖｍにおけるトルク変換値を補完して出力する工程を含む。
【００３１】
次に、図４のモータ特性のルックアップテーブルを作成する方法について説明する。図５は、モータ１１の各定電圧ごとの電流値及びトルク値の測定プロットを示すグラフである。各測定プロットは、モータ特性を求めるべく、モータ１１に対して事前に測定されて収集された電流値、電圧値及びトルク値のデータ群である。ギヤードモータ１０に組み込まれるモータ１１について、複数の定電圧条件の下で、モータ１１への入力電流を上昇させてトルク値を計測した。入力電流の電流値及び電圧値は、オシロスコープなどの一般的な計測器によって記録された。トルク値は、モータ１１の出力軸にトルク計を取り付け、該トルク計の値が記録された。本実施形態では、例示的に１０Ｖおき７つの定電圧条件でデータを収集した。しかしながら、より精密なデータが必要である場合には、より細かい条件でより多くのデータが収集されてもよい。このようにして、図５に示す測定プロットのデータ群を取得した。
【００３２】
図５によれば、各電圧においてモータの電流−トルク特性が異なり、且つ、電流及びトルクが正比例の関係にない。よって、従来のように、電流値の変動のみをトルク値の変動の指標とすると、実際のトルク値からの誤差が大きくなり、過負荷保護装置による正確なモータの制御ができないことが分かる。
【００３３】
なお、図５の測定プロットのデータ群であっても、十分にルックアップテーブルの機能を発揮することができるが、本実施形態の過負荷保護装置１００では、緻密なトルク変換値の出力を可能とするように測定プロット間のデータを補完すべく、各プロットの近似曲線を作成した。
【００３４】
図６及び図７は、定電圧１８０Ｖ、２００Ｖの電流値−トルク値のプロットから求めた近似曲線を例示する。本実施形態では、各プロットが、５次多項式の近似曲線によって近似されるように演算された。近似曲線は、最小二乗法による回帰分析などの公知の統計学的手法によって導出される。なお、本実施形態では、５次多項式が最適に選択されたが、多項式の次数は任意に選択され得る。そして、定電圧１８０Ｖのモータ特性曲線は、ｘ（電流値）とｙ（トルク値）の５次多項式（図６参照）によって表された。同様に、定電圧２００Ｖのモータ特性曲線は、ｘ（電流値）とｙ（トルク値）の５次多項式（図７参照）によって表された。制御部１０１により、５次多項式のｘに電流計測値が入力されることによって、トルク変換値がｙで出力される。事前に収集した全ての定電圧の電流値−トルク値のプロットについて、近似曲線を作成することによって、モータ特性のルックアップテーブルを作成した。
【００３５】
図８は、ギヤードモータ１０の過負荷保護装置１００において、被駆動装置からの負荷が上昇し、電源を遮断するまでのモータ１１の電流計測値、電圧計測値及びトルク変換値の時間変化を示すグラフである。モータ１１は、２００Ｖの一定電圧で駆動され、電圧計測値Ｖｍも約２００Ｖとして経時的に計測された。電流計測値Ｉｍは、時間ｔ＝０〜約８秒の一定の負荷の下で約０．３８Ａとして経時的に計測された。そして、トルク変換値Ｔは、図４のモータ特性のルックアップテーブルを参照して、電圧計測値Ｖｍ〜２００Ｖ及び電流計測値Ｉｍ〜０．３８Ａから、約４２Ｎ・ｍとして経時的に算出された。そして、時間ｔが約８秒の時点から被駆動装置からの負荷が上昇し、Ｖｍがほぼ一定のまま、負荷の上昇に従って電流計測値Ｉｍが上昇する。負荷上昇時のトルク変換値Ｔもモータ特性のルックアップテーブルを参照して出力された。本実施形態では、遮断閾値Ｔｔが１４０Ｎ・ｍとして予め設定されている。時間ｔが５１秒の時点でトルク変換値Ｔが遮断閾値Ｔｔに到達し、それを超過した。制御部１０１は、トルク変換値Ｔが遮断閾値Ｔｔを超過したことを検出して、リレー１０４を駆動して電源を即時遮断し、モータ１１の動作が停止した。
【００３６】
すなわち、本実施形態の過負荷保護装置１００は、トルク変換値がモータ１１の出力軸でのトルク値を再現するものであることから、モータ１１の出力が所望のトルク値を超えないようにギヤードモータ１０を制御することができる。これにより、ユーザーは、被駆動装置の仕様（入力トルク値の制限）や、ギヤードモータ１０の規格に合わせて遮断閾値Ｔｔを定め、負荷の増大による被駆動装置やギヤードモータ１０の損傷をより確実に防止することが可能となる。
【００３７】
［別実施形態・変形例］
本発明は、上記実施形態に限定されず、種々の実施形態及び変形例を取り得る。以下、本発明の別実施形態及び変形例を説明する。
【００３８】
（１）上記実施形態では、過負荷保護装置は、端子箱に内蔵された制御基板に集約されたが、各部材を制御可能である限り、ギヤードモータ又はモータの離隔して設けられてもよい。
【００３９】
（２）本実施形態では、過負荷保護装置は、ギヤードモータに組み込まれて使用されたが、減速機を省略した形態で用いられてもよい。
【００４０】
（３）本発明の過負荷保護装置のルックアップテーブルは、少なくとも、モータの電流値、電圧値及びトルク値のデータ群からなるものであればよく、近似曲線や電圧値の補完の機能は省略されてもよい。
【００４１】
（４）本発明の過負荷保護装置では、電源遮断手段としてのリレーが電源に電源遮断の信号を送るように構成されているが、電源遮断手段はモータ及び電源の間に配置され、スイッチの開閉によって電源が遮断されてもよい。すなわち、上記実施形態の構成は一例にすぎず、当業者であれば、本発明の技術的思想の下、種々の改変を行うことが可能である。
【００４２】
本発明は上述した実施形態や変形例に限定されるものではなく、本発明の技術的範囲に属する限りにおいて種々の態様で実施しうるものである。
【符号の説明】
【００４３】
１０      ギヤードモータ
１１      モータ
１２      減速機
１３      端子箱
１４      ３相電源
１００    過負荷保護装置
１０１    制御部（ＭＣＵ）
１０２    電流計測回路（電流計測手段）
１０３    電圧計測回路（電圧計測手段）
１０４    リレー（電源遮断手段）
１０５    設定入力部
１０６    通信回路（通信手段）
１０７    外部サーバー
１０８    ユーザー端末
【図１】
2020171070.tif 000003
【図２】
2020171070.tif 000004
【図３】
2020171070.tif 000005
【図４】
2020171070.tif 000006
【図５】
2020171070.tif 000007
【図６】
2020171070.tif 000008
【図７】
2020171070.tif 000009
【図８】
2020171070.tif 000010